(57)【要約】【課題】地盤改良壁の施工コストの低減を図ること。【解決手段】地盤Ｇに連続削孔５を形成して、その連続削孔５内に充填剤を充填及び硬化して所定深さの壁部６を形成する工程と、前記壁部６に、この壁部６の形成深さよりも深い芯材用削孔７を形成する工程と、前記芯材用削孔７に芯材８を設け、さらにこの芯材用削孔７内に充填剤を充填する工程と、を含む地盤改良壁の施工方法を構成する。壁部６を形成する工程と、壁部６に芯材用削孔７を形成して芯材８を設ける工程とを別工程にすることにより、壁部６を必要最小限の深さまで形成すればよいので、その施工コストの低減を図ることができる。【選択図】図１Ｇ
2015094098.tif 000002
【特許請求の範囲】
【請求項１】
地盤（Ｇ）に連続削孔（５）を形成して、その連続削孔（５）内に充填剤を充填及び硬化して所定深さの壁部（６）を形成する工程と、
前記壁部（６）に、この壁部（６）の形成深さよりも深い芯材用削孔（７）を形成する工程と、
前記芯材用削孔（７）に芯材（８）を設け、さらにこの芯材用削孔（７）内に充填剤を充填する工程と、
を含む地盤改良壁の施工方法。
【請求項２】
前記壁部（６）を形成する工程が、
地盤（Ｇ）に第一削孔（１）を形成する工程と、
前記第一削孔（１）内に、偏心阻止部材（２）を設ける工程と、
前記偏心阻止部材（２）を設けた第一削孔（１）の外縁とオーバーラップする第二削孔（３）を形成する工程と、
を含み、前記偏心阻止部材（２）で、前記第一削孔（１）に隣接して第二削孔（３）を形成する際に、この第一削孔（１）側に前記第二削孔（３）を掘削する掘削治具（Ｄ）が偏心貫入するのを阻止する請求項１に記載の地盤改良壁の施工方法。
【請求項３】
前記壁部（６）を形成する工程が、
前記第二削孔（３）内に、偏心阻止部材（２）を設ける工程と、
前記第二削孔（３）を中心として前記第一削孔（１）に対して点対称となる位置に、前記偏心阻止部材（２）を設けた第二削孔（３）の外縁とオーバーラップして、第三削孔（４）を形成する工程と、
をさらに含む請求項２に記載の地盤改良壁の施工方法。
【請求項４】
前記第二削孔（３）を形成する工程の後に、前記第一削孔（１）内に設けた前記偏心阻止部材（２）を引き抜く工程をさらに含む請求項２に記載の地盤改良壁の施工方法。
【請求項５】
前記第三削孔（４）を形成する工程の後に、前記第一削孔（１）内に設けた前記偏心阻止部材（２）を引き抜く工程をさらに含む請求項３に記載の地盤改良壁の施工方法。
【請求項６】
前記偏心阻止部材（２）として鋼管（２）を用いた請求項１〜５のいずれか一項に記載の地盤改良壁の施工方法。
【発明の詳細な説明】
【技術分野】
【０００１】
この発明は、建設工事現場において、基礎工事の際に、隣接地から土砂が流入するのを阻止する地盤改良壁の施工方法に関し、特に、この地盤改良壁の壁部を形成した後に、この壁部の形成深さよりも深く芯材を設ける構成とした地盤改良壁の施工方法に関する。
【背景技術】
【０００２】
建物等の建設工事現場で行われる基礎工事においては、Ｈ形鋼からなる複数の親杭を地盤に所定間隔を開けつつ並列して打ち込むとともに、この親杭に沿って地面を基礎高さまで掘削し、隣り合う親杭間に横矢板を設けて、建設現場と隣接地との間に土砂の流入を阻止する連続壁を設ける工法を採用することがある（例えば、特許文献１を参照）。この工法の問題点として、地面から基礎高さまで掘削した際にその壁面が緩んで、隣接地の地盤強度に悪影響を及ぼすことが挙げられる。
【０００３】
そこで、特許文献１に示す横矢板を用いた連続壁を形成する代わりに、例えば特許文献２に記載のように、ソイルセメント柱列壁を形成する工法（Ｓｏｉｌ  Ｍｉｘｉｎｇ  Ｐｉｌｅ工法（以下、ＳＭＰ工法（登録商標）という。））を採用することも多い。このＳＭＰ工法は、アースオーガ等の掘削装置で地盤に連続削孔を形成するとともに、この連続削孔内に掘削土砂とセメントミルクとを混合したソイルセメントを流し込み、この流し込んだソイルセメント内に、所定間隔でＨ形鋼等の芯材を埋設し、このソイルセメントを硬化して壁部とするものである。この芯材が親杭に相当し、硬化した壁部が横矢板に相当する。このＳＭＰ工法は、その形成の際に基礎高さまで地面を掘削する必要がないため、隣接地の地盤強度に悪影響を及ぼす恐れはない。
【０００４】
この連続削孔の形成においては、まず、掘削装置で離間した２つの削孔を形成する。この際、この２つの削孔の中心同士の間隔が、この掘削装置の先端の掘削治具径の２倍より小さくなるようにその形成位置を決める。次に、２つの削孔の中間位置に、この掘削装置でさらに削孔を形成する。すると、先に形成した２つの削孔と後で形成した削孔が部分的にオーバーラップして、連続した削孔となる。
【０００５】
この特許文献２に記載のように、一つずつ削孔を形成する代わりに、例えば特許文献３に示すように、３本の掘削軸を備えた多軸掘削装置を用いることにより、掘削効率をさらに向上する工法もある。この場合は、離間した２つの削孔連続体（３つの削孔が連続したもの）を形成し、この２つの削孔連続体の中間位置に、この多軸掘削装置又は単軸掘削装置を用いてさらに削孔を形成する。すると先に形成した２つの削孔連続体と後で形成した削孔が部分的にオーバーラップして、連続削孔が形成される。
【先行技術文献】
【特許文献】
【０００６】
【特許文献１】特開２０１３−１７４０４９号公報
【特許文献２】特開２００２−１４６７７４号公報
【特許文献３】特許第２９５７４５２号公報
【発明の概要】
【発明が解決しようとする課題】
【０００７】
特許文献２、３に記載のＳＭＰ工法は、連続削孔内に芯材が設けられるため、この連続削孔内にソイルセメントを充填することによって形成される壁部の形成深さは、この芯材の埋設深さと同等以上となる。この芯材は、壁部を安定して支持するためにある程度の深さまで深く埋設する必要がある一方で、壁部は、芯材の埋設深さと同等程度まで深くしなくてもよいことが多い。この場合、必要以上の深さの壁部を形成するために使用されたセメント等の充填剤が無駄となって、施工コストの上昇要因となる問題がある。
【０００８】
そこで、この発明は、地盤改良壁の施工コストの低減を図ることを課題とする。
【課題を解決するための手段】
【０００９】
上記の課題を解決するため、この発明は、地盤に連続削孔を形成して、その連続削孔内に充填剤を充填及び硬化して所定深さの壁部を形成する工程と、前記壁部に、この壁部の形成深さよりも深い芯材用削孔を形成する工程と、前記芯材用削孔に芯材を設け、さらにこの芯材用削孔内に充填剤を充填する工程と、を含む地盤改良壁の施工方法を構成した。
【００１０】
このように壁部を形成する工程と、芯材用削孔を形成して芯材を設ける工程を別工程とすることにより、耐土圧等の性能を確保するための必要最低限の深さの壁部を形成しつつ、この壁部を確実に支持する深さまで芯材を設けることができる。このため、一般的なＳＭＰ工法とは異なり、必要以上の深さまで壁部を形成することに起因して施工コストが上昇するのを防止することができる。
【００１１】
前記構成においては、前記壁部を形成する工程が、地盤に第一削孔を形成する工程と、前記第一削孔内に、偏心阻止部材を設ける工程と、前記偏心阻止部材を設けた第一削孔の外縁とオーバーラップする第二削孔を形成する工程と、を含み、前記偏心阻止部材で、前記第一削孔に隣接して第二削孔を形成する際に、この第一削孔側に前記第二削孔を掘削する掘削治具が偏心貫入するのを阻止するようにするのが好ましい。
【００１２】
特許文献２、３に記載の連続削孔の形成方法においては、図９に示すように、先に形成した２つの削孔（削孔連続体）１０、１０周辺の土砂がこの削孔によって緩むため、この２つの削孔（削孔連続体）１０、１０の中間位置にさらに削孔（削孔連続体）１０を形成する際に、掘削装置の掘削治具Ｄの刃先が、既に形成した削孔１０、１０のいずれかの側に偏ってしまい（本図中の矢印を参照）、削孔１０を均等間隔で形成できないことが多い。そのため、形成後の壁部の性能が場所ごとに不均質となることがある。
【００１３】
そこで、第一削孔の形成後に、その第一削孔内に偏心阻止部材を設けることにより、第二削孔を形成する際に、アースオーガ等の掘削治具の刃先が、掘削に伴って土砂に緩みが生じた第一削孔側に偏ったとしても、偏心阻止部材と掘削治具が当接することによって、この掘削治具がそれ以上第一削孔側に偏るのを防止することができる。第一削孔と第二削孔の外縁のオーバーラップは、第一削孔の直径よりも外形が小さい偏心阻止部材を用いることにより容易に形成することができる。第二削孔の形成後に、さらにこの第二削孔内に偏心阻止部材を設けることにより、複数の連続する削孔を所定の均等間隔で容易に形成することができる。このようにして連続削孔を形成することにより、壁部の性能を場所によらず均質なものとすることができる。
【００１４】
前記偏心阻止部材を用いる構成においては、前記第二削孔内に、偏心阻止部材を設ける工程と、前記第二削孔を中心として前記第一削孔に対して点対称となる位置に、前記偏心阻止部材を設けた第二削孔の外縁とオーバーラップして、第三削孔を形成する工程と、をさらに含む構成とすることもできる。
【００１５】
このようにすれば、第二削孔内に設けた偏心阻止部材（第二偏心阻止部材）が、第三削孔の形成の際に掘削治具が第二削孔側に偏るのを防止するとともに、この第二偏心阻止部材と第一削孔内に設けた偏心阻止部材（第一偏心阻止部材）とが互いに当接して、第一偏心阻止部材が第二偏心阻止部材をその背面から支持する作用を奏する。このため、第二偏心阻止部材による掘削治具の偏心阻止作用が一層高まる。
【００１６】
第一削孔の形成後に、その第一削孔内に偏心阻止部材を設ける構成においては、前記第二削孔を形成する工程の後に、前記第一削孔内に設けた前記偏心阻止部材を引き抜く工程をさらに含む構成とすることができる。あるいは、前記第二削孔内に、偏心阻止部材を設ける工程を含む構成においては、前記第三削孔を形成する工程の後に、前記第一削孔内に設けた前記偏心阻止部材を抜く工程をさらに含む構成とすることができる。
【００１７】
このようにすれば、削孔から引き抜いた偏心阻止部材を、新たに形成した削孔（第二削孔又は第三削孔）に設けるための偏心阻止部材として再利用することができるため、材料コストの削減を図ることができる。
【００１８】
前記各構成においては、前記偏心阻止部材として鋼管を用いた構成とすることができる。
【００１９】
このようにすれば、形成した削孔に偏心阻止部材を設ける際に、削孔との間でその径方向の位置合わせをする必要がないため、作業をスムーズに進めることができる。しかも、鋼管は剛性が高いため、掘削治具が既に形成した削孔側に偏心するのを確実に防止することができる。
【発明の効果】
【００２０】
この発明は、地盤に連続削孔を形成して、その連続削孔内に充填剤を充填及び硬化して所定深さの壁部を形成する工程と、前記壁部に、この壁部の形成深さよりも深い芯材用削孔を形成する工程と、前記芯材用削孔に芯材を設け、さらにこの芯材用削孔内に充填剤を充填する工程と、を含む地盤改良壁の施工方法を構成した。このようにすることで、芯材をこの壁部を安定して支持できる程度の深さまで設けつつ、この壁部による強度等の性能を確保するように地盤改良壁を構成することができる。このため、この地盤改良壁の施工コストの増大を防止することができる。
【図面の簡単な説明】
【００２１】
【図１Ａ】本願発明に係る地盤改良壁の施工方法の第一実施形態を示し、地盤に第一削孔を形成した状態を示す斜視図
【図１Ｂ】図１Ａに続いて、第一削孔に偏心阻止部材を設けた状態を示す斜視図
【図１Ｃ】図１Ｂに続いて、第一削孔に隣り合う第二削孔を形成しつつある状態を示す斜視図
【図１Ｄ】図１Ｃに続いて、第一削孔から偏心阻止部材を引き抜き、第二削孔に偏心阻止部材を設けるとともに、この第二削孔に隣り合う第三削孔を形成しつつある状態を示す斜視図
【図１Ｅ】図１Ｄに続いて、形成した連続削孔内にソイルセメントを充填及び硬化して、壁部を形成した状態を示す斜視図
【図１Ｆ】図１Ｅに続いて、壁部に芯材用削孔を形成しつつある状態を示す斜視図
【図１Ｇ】図１Ｆに続いて、芯材用削孔にＨ形鋼を設けた状態を示す斜視図
【図２】第一削孔に隣り合う第二削孔を形成しつつある状態を示す平面図
【図３】本願発明に係る地盤改良壁を示す平面図
【図４Ａ】本願発明に係る地盤改良壁の施工方法の第二実施形態を示し、既に形成した第一削孔及び第二削孔に偏心阻止部材を設け、第二削孔に隣り合う第三削孔を形成しつつある状態を示す斜視図
【図４Ｂ】図４Ａに続いて、第一削孔から偏心阻止部材を引き抜き、第三削孔に偏心阻止部材を設けるとともに、第四削孔を形成しつつある状態を示す斜視図
【図５】第二実施形態における第一偏心阻止部材と第二偏心阻止部材の当接関係を示す平面図
【図６】本願発明に係る地盤改良壁の施工方法の第三実施形態を示し、２つの独立した第一削孔に偏心阻止部材を設け、両第一削孔の間に、第二削孔を形成しつつある状態を示す斜視図
【図７】二つの第一削孔の間に、第二削孔を形成しつつある状態を示す平面図
【図８】地盤改良壁の形成後に芯材の周囲を掘削して引き抜く工程を示す斜視図であって、（ａ）はＨ形鋼の場合、（ｂ）は角形鋼管の場合
【図９】従来技術に係るソイルセメント柱列壁の施工方法の実施形態を示す斜視図
【発明を実施するための形態】
【００２２】
本願発明に係る地盤改良壁の施工方法の第一実施形態（施工手順）を図１Ａから図１Ｇに示す。
【００２３】
この第一実施形態においては、まず、地盤Ｇの所定箇所に第一削孔１を所定の深さまで形成する（図１Ａを参照）。この形成には、例えばアースオーガ等に取り付けた掘削治具Ｄ（ドリル）が用いられる。
【００２４】
次に、この第一削孔１に、偏心阻止部材２として機能する鋼管を設ける（図１Ｂを参照）。なお、以下においては、鋼管についても偏心阻止部材と同じ符号２を適宜付する。
【００２５】
さらに、鋼管２を設けた第一削孔１の外縁とオーバーラップして第二削孔３を所定の深さまで形成する（図１Ｃを参照）。このように、第一削孔１に鋼管２を設ければ、第二削孔３を形成する際に、掘削治具Ｄの刃先が、掘削に伴って土砂に緩みが生じた第一削孔１側に偏ったとしても、鋼管２と掘削治具Ｄが当接することによって、この掘削治具Ｄがそれ以上第一削孔１側に偏るのを防止することができる。この掘削治具Ｄの先端をコニカルヘッド形状とすれば、鋼管２とこの掘削治具Ｄが当接した際に両者の引っ掛かりが生じにくくなるため、第二削孔３の形成をスムーズに行うことができる。
【００２６】
この第一削孔１と第二削孔３のオーバーラップの度合いは、第一削孔１に設けた鋼管２の直径によって決まる。例えば、第一削孔１の内径に対して６０％の直径を有する鋼管２を用いた場合、この鋼管２を第一削孔１内に同心に設けると、第一削孔１の内周面と鋼管２の外周面との間には、第一削孔１の内径の２０％の大きさの隙間が生じる。そして、この第一削孔１に隣り合うように第二削孔３を形成する場合には、図２に示すように、掘削治具Ｄと鋼管２の外周面とが接触した状態が維持される。その結果、第一削孔１と第二削孔３はその内径の２０％が互いにオーバーラップした状態となる。このオーバーラップの度合いは、地盤改良壁に要求される耐土圧等の性能に応じて適宜変更することができる。
【００２７】
第二削孔３の形成後に、第一削孔１から鋼管２を引き抜き、第二削孔３に鋼管２を設けるとともに、この第二削孔３に隣り合う第三削孔４を所定の深さまで形成する（図１Ｄを参照）。このときも、第二削孔３を形成した時と同様に、第三削孔４を形成する際に、掘削治具Ｄの刃先が、掘削に伴って土砂に緩みが生じた第二削孔３側に偏ったとしても、鋼管２と掘削治具Ｄが当接することによって、この掘削治具Ｄがそれ以上第二削孔３側に偏るのを防止することができる。上記の工程を繰り返すことによって、連続削孔５を形成することができる。このように、引き抜いた鋼管２を、新たに形成した削孔における偏心阻止部材２として用いることにより、材料コストの低減を図ることができる。
【００２８】
形成した連続削孔５に、充填剤としてソイルセメントを充填して数日間硬化させることによって、この連続削孔５の深さまで壁部６を形成する（図１Ｅを参照）。さらに、アースオーガ等の掘削治具Ｄを用いて、この壁部６の形成深さよりも深い芯材用削孔７を所定間隔で形成する（図１Ｆを参照）。この掘削治具Ｄのドリル径は、連続削孔５を形成する際に用いた掘削治具Ｄのドリル径と異なっていてもよい。この芯材用削孔７の形成深さは適宜決めることができるが、形成した壁部６を確実に支持するために、壁部６の深さの２〜３倍程度とすることが多い。もちろん、この範囲外とすることも許容される。
【００２９】
この芯材用削孔に、芯材８としてＨ形鋼８ａを所定間隔で設け（図１Ｇを参照）、さらに、充填剤としてソイルセメントを充填して、壁部６と一体に硬化させることによって、図３に示すように地盤改良壁を完成する。この施工方法を採用することにより、均質な地盤改良壁を低コストの下で施工することができる。
【００３０】
本願発明に係る地盤改良壁の施工方法の第二実施形態を図４Ａ及び図４Ｂに示す。
【００３１】
この第二実施形態においては、第一実施形態の場合と同様に、まず、地盤Ｇの所定箇所に第一削孔１を所定の深さまで形成する（図１Ａを参照）。次に、この第一削孔１に、偏心阻止部材２としての鋼管２を設ける（図１Ｂを参照）。さらに、鋼管２を設けた第一削孔１の外縁とオーバーラップして第二削孔３を所定の深さまで形成する（図１Ｃを参照）。
【００３２】
この第二削孔３の形成後に、第一削孔１に鋼管２を設けつつ、第二削孔３にも鋼管２を設け、第二削孔３を中心として第一削孔１に対して点対称となる位置に、鋼管２を設けた第二削孔３の外縁とオーバーラップして、第三削孔４を形成する（図４Ａを参照）。このように、第一削孔１及び第二削孔３の両方に鋼管２、２を設けることにより、第二削孔３内に設けた偏心阻止部材２（第二偏心阻止部材２ｂ）が、第三削孔４の形成の際に掘削治具Ｄが第二削孔３側に偏るのを防止するとともに、この第二偏心阻止部材２ｂと第一削孔１内に設けた偏心阻止部材２（第一偏心阻止部材２ａ）とが互いに当接して、第一偏心阻止部材２ａが第二偏心阻止部材２ｂをその背面から支持する作用を奏する。このため、第二偏心阻止部材２ｂによる掘削治具Ｄの偏心阻止作用が一層高まる。なお、以下においては、第一偏心阻止部材２ａとして機能する鋼管には符号２ａを、第二偏心阻止部材２ｂとして機能する鋼管には符号２ｂをそれぞれ付する。
【００３３】
第三削孔４の形成後に、第一削孔１から鋼管（第一偏心阻止部材）２ａを引き抜き、この鋼管を第三削孔４に設け、第三削孔４に隣り合う第四削孔９を形成する（図４Ｂを参照）。この工程を繰り返して連続削孔５を形成した後に、第一実施形態と同様に、形成した連続削孔５に、充填剤としてソイルセメントを充填して数日間硬化させることによって、この連続削孔５の深さまで壁部６を形成する（図１Ｅを参照）。さらに、アースオーガ等の掘削治具Ｄを用いて、この壁部６の形成深さよりも深い芯材用削孔７を所定間隔で形成し（図１Ｆを参照）、この芯材用削孔７に、芯材８としてＨ形鋼８ａを所定間隔で設け（図１Ｇを参照）、さらに、充填剤としてソイルセメントを充填することによって、図３に示すように地盤改良壁を完成する。
【００３４】
この第二実施形態のように、両鋼管２ａ、２ｂを当接させることにより、第二削孔３に設けた鋼管２ｂによる掘削治具Ｄの偏心阻止作用をより確実なものとすることができる。このとき、図５に示すように、第一削孔１に設けた鋼管２ａを第二削孔３に設けた鋼管２ｂ側に偏心させた位置で固定しておくことで、その当接状態を一層確実なものとすることができる。
【００３５】
本願発明に係る地盤改良壁の施工方法の第三実施形態を図６に示す。
【００３６】
この第三実施形態においては、まず、地盤の所定箇所に２つの独立した第一削孔１、１を形成する。この第一削孔１同士の間隔が、この第一削孔１の内径よりも狭くなるようにその位置決めを行う。次に、両第一削孔１、１にそれぞれ鋼管２を設け、両第一削孔１、１の間に第二削孔３を形成する（図６を参照）。このとき、図７に示すように、掘削治具Ｄと両第一削孔１、１に設けた鋼管２の外周面とが接触した状態が維持される。このため、この掘削治具Ｄがそれ以上、いずれかの第一削孔１側に偏るのを防止することができ、複数の削孔を均等間隔で形成することができる。連続削孔５を形成した後に、第一実施形態と同様に、形成した連続削孔５に、充填剤としてソイルセメントを充填して数日間硬化させることによって、この連続削孔５の深さまで壁部６を形成する（図１Ｅを参照）。さらに、アースオーガ等の掘削治具Ｄを用いて、この壁部６の形成深さよりも深い芯材用削孔７を所定間隔で形成し（図１Ｆを参照）、この芯材用削孔７に、芯材８としてＨ形鋼８ａを所定間隔で設け（図１Ｇを参照）、さらに、充填剤としてソイルセメントを充填することによって、図３に示すように地盤改良壁を完成する。
【００３７】
上記の各実施形態においては、芯材８としてＨ形鋼８ａを用いたが、Ｈ形鋼８ａの代わりに、コンクリートを充填した鋼管又は角形鋼管を用いることもできる。これらの鋼管はＨ形鋼８ａと比較して曲げ剛性が高いため、地盤改良壁の厚さを小さくしても、十分な耐土圧を維持することができる。
【００３８】
また、上記の各実施形態においては、基礎工事の終了後に、図８に示すように縁切り用の縁切り治具Ｃを用いて、Ｈ形鋼８ａ（本図（ａ）を参照）又は角形鋼管８ｂ（本図（ｂ）を参照）の周囲をくり抜き、このくり抜いたセメント塊をワイヤーで吊り上げて引き抜き、このセメント塊からＨ形鋼８ａ又は角形鋼管８ｂを取り出して、再利用することもできる。この構成においては、特許文献１で示す横矢板を使用しないとともに、壁部６より下側は芯材８（８ａ、８ｂ）が単に地盤Ｇに挿し込まれているだけなので、縁切り治具Ｃを用いたくり抜き作業をスムーズに行うことができる。このくり抜き作業によって生じた孔は、ソイルセメント（あるいは通常のセメント）を流し込んで塞いでおく。このようにソイルセメントを流し込むことによって、地盤改良壁の強度を維持することができる。また、このようにＨ形鋼８ａ等を再利用することにより、材料コストの削減を図ることができる。
【００３９】
この芯材８として、Ｈ形鋼８ａ、角形鋼管８ｂのいずれを採用することもできるが、特に角形鋼管８ｂを採用するのが好ましい。Ｈ形鋼８ａは芯材用削孔７に設けた際に、その突起部がこの芯材用削孔７の内壁に食い込みやすく、縁切り治具Ｃを用いてこのＨ形鋼８ａを取り出す際に、Ｈ形鋼８ａとこの縁切り治具Ｃが干渉して、作業がスムーズにできないことが生じ得る。これに対し、角形鋼管８ｂはＨ形鋼８ａと比較して内壁への食い込みが生じにくいため、縁切り治具Ｃを用いたくり抜き作業をスムーズに行うことができる。
【００４０】
上記の各実施形態において示した地盤改良壁の施工方法はあくまでも例示であって、地盤改良壁の施工コストの低減を図る、という本願発明の課題を解決し得る限りにおいて、その工程の一部を適宜変更することができる。
【符号の説明】
【００４１】
１  第一削孔
２  偏心阻止部材（鋼管）
２ａ  第一偏心阻止部材（鋼管）
２ｂ  第二偏心阻止部材（鋼管）
３  第二削孔
４  第三削孔
５  連続削孔
６  壁部
７  芯材用削孔
８  芯材
８ａ  Ｈ形鋼
８ｂ  角形鋼管
９  第四削孔
Ｇ  地盤
Ｄ  掘削治具
Ｃ  縁切り治具
【図１Ａ】
2015094098.tif 000003
【図１Ｂ】
2015094098.tif 000004
【図１Ｃ】
2015094098.tif 000005
【図１Ｄ】
2015094098.tif 000006
【図１Ｅ】
2015094098.tif 000007
【図１Ｆ】
2015094098.tif 000008
【図１Ｇ】
2015094098.tif 000009
【図２】
2015094098.tif 000010
【図３】
2015094098.tif 000011
【図４Ａ】
2015094098.tif 000012
【図４Ｂ】
2015094098.tif 000013
【図５】
2015094098.tif 000014
【図６】
2015094098.tif 000015
【図７】
2015094098.tif 000016
【図８】
2015094098.tif 000017
【図９】
2015094098.tif 000018